(57)【要約】【課題】  美容施術に際して被施術者がリラックスして施術を受けることができて満足度を高められるとともに、施術者の負担を軽減し得て、作業性よくスムーズに施術を進めることが可能となる美容施術設備を提供する。【解決手段】  美容施術設備１は、椅子２とオットマン３とが上段床部４１に備えられ、下段床部４２には施術者エリア４３が設けられている。オットマン３は、給水栓３２１が付設されたシンク部３１と、シンク部３１の上部開口に被せられるフットレスト板３３とを備えてなる。オットマン３と椅子２との離間距離は、足を踏み入れ可能な拡大距離と、足を踏み入れ困難な縮小距離とに変更可能とされている。【選択図】  図２
2018117678.tif 000002
【特許請求の範囲】
【請求項１】
一組の椅子とオットマンとが床に備えられてなる美容施術設備であって、
前記床は、高低差を有する上段床部と下段床部とを備え、
上段床部には前記椅子およびオットマンが配置されるとともに、下段床部には美容施術の施術者エリアが設けられ、前記椅子と施術者エリアとの間に前記オットマンが備えられてなり、
前記椅子は、上段床部に設置されるベース部と、ガイド手段を介してベース部に対し前後方向に移動可能に支持されたシート部と、シート部の後方に立設された背もたれ部とを備え、
前記オットマンと前記シート部との離間距離を、足を踏み入れ可能な拡大距離と、足を踏み入れ困難な縮小距離との間で変更可能とされたことを特徴とする美容施術設備。
【請求項２】
一組の椅子とオットマンとが床に備えられてなる美容施術設備であって、
前記床は、１０ｃｍ以上の高低差で上段床部と下段床部とを備え、
上段床部には前記椅子およびオットマンが配置されるとともに、下段床部には美容施術の施術者エリアが設けられ、前記椅子と施術者エリアとの間に前記オットマンが備えられてなり、
前記オットマンの上面の高さは椅子の座面の高さよりも低く、下段床部の床面から該オットマンの上面までの高さが４０ｃｍ以上８０ｃｍ以下となされたことを特徴とする美容施術設備。
【請求項３】
請求項１または２に記載の美容施術設備において、
前記オットマンは上段床部に固定され、給排水装置が付設されたシンク部と、シンク部の上部開口に被せられるフットレスト板とを備えてなることを特徴とする美容施術設備。
【請求項４】
請求項３に記載の美容施術設備において、
前記フットレスト板は、シンク部に対して前後方向にスライド可能に備えられてなることを特徴とする美容施術設備。
【請求項５】
請求項２に記載の美容施術設備において、
前記椅子は、上段床部に設置されるベース部と、ガイド手段を介してベース部に対し前後方向に移動可能に支持されたシート部と、シート部の後方に立設された背もたれ部とを備え、
前記オットマンと前記シート部との離間距離を、足を踏み入れ可能な拡大距離と、足を踏み入れ困難な縮小距離との間で変更可能とされたことを特徴とする美容施術設備。
【請求項６】
請求項１〜５のいずれか一つの請求項に記載の美容施術設備において、
前記椅子は幅方向の左右少なくとも一方にサイドテーブルを備え、
前記サイドテーブルは該椅子に対して回動可能に軸支されてなることを特徴とする美容施術設備。
【請求項７】
請求項１〜６のいずれか一つの請求項に記載の美容施術設備において、
前記上段床部には複数組の椅子とオットマンとが並設され、前記下段床部には施術者エリアが前記複数のオットマンに沿って連続して設けられ、
前記椅子同士の間にはキャビネットが備えられるとともに、該キャビネットの上部には取り外し可能な間仕切部材が設けられてなることを特徴とする美容施術設備。
【発明の詳細な説明】
【技術分野】
【０００１】
本発明は、美容施術設備に係り、特に、足先を含めて美容施術することのできる美容施術設備に関する。
【背景技術】
【０００２】
ネイルサロン等の美容施設において広く使用されている椅子は、ダイニングチェアと同様の背もたれを有するシンプルな形状のものであることが多い。近年では、顧客にリラックスしてもらえるようソファ型の椅子が採用されることもある。足の爪にネイル施術をしたりフットケアをしたりする場合には、椅子の前にフットバスを設置して足を温めた後、足をのせるための移動式の小テーブルを設置して足先の施術をしている。
【０００３】
この種の椅子として、例えば、特許文献１に開示されているように、被施術者の足をのせてネイル施術を行うためのフットレストとフットバス載置台とを椅子の前方下部に備えたものも提案されている。この椅子の場合、椅子に一体化されたフットバス載置台まで、別体のフットバスを運び、別途用意したお湯をフットバスに注入して使用するように構成されている。
【先行技術文献】
【特許文献】
【０００４】
【特許文献１】特開２０１０−１２５１０１号公報
【発明の概要】
【発明が解決しようとする課題】
【０００５】
上記従来の椅子は、フットバスをフットバス載置台まで運ばなければならず、使用後にはフットバスからお湯を抜き取り、またはお湯を入れたままフットバスを持ち上げて移動させなければならない。これらの作業は、手間も時間もかかることに加えて、重量を有するフットバスの移動や設置作業が施術者の負担となるものであった。
【０００６】
また、被施術者に対するフットケア等は、その椅子に向かい合うように施術者が座り、低い位置にある足先に、かがみ姿勢をとりながら施術しなければならない。このような姿勢を長時間にわたって継続することには施術者にとって負担が大きく、被施術者との会話のやりとりもしにくいという問題点があった。
【０００７】
一方、被施術者は膝を大きく曲げてフットレストに足をのせることになるので、臀部に体圧が集中して痛みを感じたり、スカートをはいた女性の場合には視線が気になったりして、リラックスできないという実情もあった。
【０００８】
本発明は、上記のような問題点にかんがみてなされたものであり、その目的とするところは、美容施術に際して被施術者がリラックスして施術を受けることができて満足度を高めることができるとともに、施術者の負担を軽減し得て、作業性よくスムーズに施術を進めることが可能となる美容施術設備を提供することにある。
【課題を解決するための手段】
【０００９】
前記の目的を達成するため、本発明は、一組の椅子とオットマンとが床に並設されてなる美容施術設備を前提としており、前記床は、高低差を有する上段床部と下段床部とを備え、上段床部には前記椅子およびオットマンが配置されるとともに、下段床部には美容施術の施術者エリアが設けられ、前記椅子と施術者エリアとの間に前記オットマンが備えられてなる。前記椅子は、上段床部に設置されるベース部と、ガイド手段を介してベース部に対し前後方向に移動可能に支持されたシート部と、シート部の後方に立設された背もたれ部とを備え、前記オットマンと前記シート部との離間距離を、足を踏み入れ可能な拡大距離と、足を踏み入れ困難な縮小距離との間で変更可能とされたことを特徴としている。
【００１０】
また、本発明は、一組の椅子とオットマンとが床に並設されてなる美容施術設備を前提として、前記床が、１０ｃｍ以上の高低差で上段床部と下段床部とを備え、上段床部には前記複数の椅子が配置されるとともに、下段床部には美容施術の施術者エリアが連続して設けられ、各椅子と施術者エリアとの間にはオットマンが備えられてなり、前記オットマンは上段床部に固定され、該オットマンの上面の高さは椅子の座面の高さよりも低く、下段床部の床面から該オットマンの上面までの高さが４０ｃｍ以上８０ｃｍ以下となされたことを特徴としている。
【００１１】
かかる特定事項により、施術者は、オットマンにのせた被施術者の足に美容施術をするに際し、腰を丸めたかがみ姿勢をとることなく、上体を起こした姿勢のまま下段床部から施術者の足に無理なく手を届かせることが可能となり、作業性を格段に高めることができる。一方、被施術者は、椅子の前方に設けられたオットマンに足をのせてリラックスしながら施術を受けることができ、身体の負担も軽減されて、施術者との会話を楽しむことも可能となる。
【００１２】
また、椅子に座ったり椅子から離れたりするときには、シート部を後方に移動させて前記オットマンとシート部との間隔を拡げることで座ったり立ち上がったりしやすくすることができる。美容施術時にはシート部を前方に移動させて前記オットマンとシート部との間隔を縮めることで、被施術者の足を安定的にオットマンにのせることができ、被施術者に楽な姿勢で美容施術を提供することができる。
【００１３】
前記美容施術設備のより具体的な構成として次のものが挙げられる。まず、美容施術設備における前記オットマンは、給排水設備が付設されたシンク部と、シンク部の上部開口に被せられるフットレスト板とを備えてなることが好ましい。
【００１４】
これにより、前記オットマンをフットレスト板の上に足をのせて使用する使用形態と、シンク部にお湯をはり、足を入れてフットバスとして使用する使用形態との両方の使い方をすることができる。
【００１５】
また、前記フットレスト板を、シンク部に対して前後方向にスライド可能に備えることにより、使用形態や被施術者の足入れ姿勢に応じてフットレスト板の配設位置を変えて使用することができる。
【００１６】
また、前記椅子は幅方向の左右少なくとも一方にサイドテーブルを備えて、サイドテーブルは該椅子に対して回動可能に軸支された構成であってもよい。
【００１７】
これにより、被施術者の手元に対する美容施術を容易に行うことができ、椅子の使用形態に応じてサイドテーブルの向きを変更して使い勝手を高めることができる。
【００１８】
また、前記美容施術設備において、上段床部には複数組の椅子とオットマンとが並設され、前記下段床部には施術者エリアが前記複数のオットマンに沿って連続して設けられて、前記椅子同士の間にはキャビネットが備えられるとともに、該キャビネットの上部には取り外し可能な間仕切部材が設けられた構成であってもよい。
【００１９】
これにより複数の被施術者に対して効率よく美容施術を提供することができるとともに、施術時のプライバシーにも配慮することが可能となる。
【発明の効果】
【００２０】
本発明により、被施術者が楽な姿勢で美容施術を受けることを可能にするとともに、施術者の負担を軽減し得て、作業性よくスムーズに美容施術を進めることが可能となる。
【図面の簡単な説明】
【００２１】
【図１】本発明の実施形態１に係る美容施術設備の基本構成を示す斜視図である。
【図２】前記美容施術設備におけるオットマンの他の例を示す斜視図である。
【図３】図２に示す美容施術設備の側面図である。
【図４】前記美容施術設備における椅子の内部構造を模式的に示す説明図である。
【図５】前記美容施術設備における椅子の動作例を示す説明図である。
【図６】前記美容施術設備の使用形態の一例を示す説明図である。
【図７】参考例としての椅子の説明図である。
【図８】図２に示す美容施術設備の平面図である。
【図９】本発明の他の形態に係る美容施術設備を示す斜視図である。
【発明を実施するための形態】
【００２２】
以下、本発明の実施形態に係る美容施術設備について、図面を参照しつつ説明する。
【００２３】
図１は本発明の実施形態に係る美容施術設備１を示す斜視図である。この美容施術設備１は、例えばネイルサロン、エステサロン、美容院等の美容施設において、顧客である被施術者に対して専門スタッフである施術者が美容施術を提供するのに用いられる。
【００２４】
本実施形態に係る美容施術設備１は、一組の椅子２とオットマン３とが床４に備えられてなる。図１に示すように、床４には高低差が設けられており、高い方の床である上段床部４１と、低い方の床である下段床部４２とを含む構成とされている。椅子２およびオットマン３は上段床部４１に設置され、これらのうち、オットマン３は下段床部４２寄りに配設されている。オットマン３は足をのせるスツールであり、上面にクッション性を有して、椅子２と併用される。
【００２５】
上段床部４１と下段床部４２との高低差は、一般的な階段の蹴上げ寸法と同等の高低差であることが好ましく、１０ｃｍ以上２０ｃｍ以下の高低差により形成されている。より好ましくは高低差を１２ｃｍ〜１８ｃｍとして上段床部４１と下段床部４２とが形成されていることである。下段床部４２には施術者エリア４３が設けられ、施術道具を納めた収納棚やワゴンなどが備えられるとともに、施術者用の作業椅子４４が設置される（図３参照）。上段床部４１と下段床部４２との高低差を前記範囲内のものとすることにより、施術者の通行の容易性が高められる。
【００２６】
椅子２は、幅方向の左右にアームレスト２１を備えている。被施術者は椅子２に腰掛け、両腕をアームレストにのせ、足をオットマン３にのせてくつろぐことができる。施術者は上段床部４１の椅子２の傍らに別途椅子やスツール等を設置して、被施術者の手や腕に美容施術をすることができる。足先の美容施術には、施術者は下段床部４２の施術者エリア４３から被施術者に向き合って座り、オットマン３上の足に対して腰をかがめることなく作業を進めることができる。
【００２７】
ここで、オットマン３は、足をのせる機能だけでなく、フットバスとしての機能をも合わせもったものであってもよい。すなわち、例えば図２に示すように、オットマン３には、シンク部３１とフットレスト板３３が備えられた構成であってもよい。なお、以下の説明においては、便宜上、図面における方向性を図２に矢符ＸおよびＹにて示すように、椅子２に座っている人から見た前後方向および左右方向をさしていうものとする。
【００２８】
図２に示す形態では、オットマン３は上段床部４１に固定されており、給排水装置３２がシンク部３１に付設されている。シンク部３１の上部開口には、フットレスト板３３が備えられている。
【００２９】
シンク部３１は足浴をすることができる浴槽であり、給排水装置３２として給水栓３２１、給水口３２２、および図示しない排水口を備えている。上段床部４１の床下には給排水装置３２のための配管や、椅子２に接続させる電気配線等が納められている。
【００３０】
フットレスト板３３は、シンク部３１の開口の概ね半分を覆う大きさで形成され、上面にクッション性が付与されている。フットレスト板３３の裏面には、シンク部３１の上縁に係止する複数の係止片３３１が左右両側に垂設されている。これらの係止片３３１をシンク部３１に係止させてフットレスト板３３をシンク部３１に載せることで、フットレスト板３３はシンク部３１の上縁に沿って前後方向にスライド可能とされている。
【００３１】
図３に示すように、フットレスト板３３を載せたオットマン３の高さは椅子２の座面の高さよりも低く、下段床部４２の床面からオットマン３の上面までの高さは４０ｃｍ以上８０ｃｍ以下とされることが好ましい。例示の形態では、下段床部４２から上段床部４１までの高さが１５ｃｍであり、上段床部４１の床面に座面高さ４６ｃｍの椅子２が備えられるとともに高さ３５ｃｍのオットマン３が固定されている。したがって、下段床部４２の床面からオットマン３の上面までの高さは５０ｃｍとされており、作業椅子４４に座った施術者１００が施術者エリア４３から被施術者１０１の足に手を伸ばすのに好適な高さが形成されている。
【００３２】
フットケアや足のネイル施術等を行う場合には、施術者はオットマン３に近い位置で作業をする。この場合、上段床部４１に施術者用の作業椅子を設置して、オットマン３上の足に施術することも可能ではあるが、作業椅子の座面高さを格段に低くするか、あるいは腰を曲げて前方にかがみ姿勢をとならなければ施術者は作業をしにくい。
【００３３】
これに対し、美容施術設備１においては、上段床部４１とは高低差を有する下段床部４２に施術者エリア４３が設けられている。このため、図３に示すように、施術者１００は下段床部４２に設置された通常の座面高さの作業椅子４４に、被施術者１０１に対面するようにして座ることができ、上体を起こした負担の少ない姿勢でオットマン３上の足に施術をすることが可能となる。
【００３４】
一方、被施術者が座る椅子２は、図４に模式的に示すように、床面に設置されるベース部２２と、ベース部２２に支持されたシート部２３と、シート部２３の後方に立設された背もたれ部２６とを備えている。
【００３５】
ベース部２２は、椅子２のシート部２３および背もたれ部２６を上段床部４１に安定して支持する部分であり、複数の脚部２２１と、前後方向および左右幅方向に延びるベースフレーム２２２とが一体に組み合わされて構成されている。図１、図２等に示されるように、ベース部２２は、周囲が側面板２２４で覆われており、かかる内部構造は外観に現れないように構成されている。
【００３６】
ベース部２２の上方に配設されたシート部２３は、クッション性を有しており、底面に金属製のシートフレーム２３１が結合されている。シートフレーム２３１には、シート部２３のガイド手段として前後方向に延びるガイドレール２３２が一体に設けられている。ガイドレール２３２はシートフレーム２３１に複数本備えられ、ベース部２２の前後方向に配設されたベースフレーム２２２の上方に、それぞれ平行に配設されている。
【００３７】
ベースフレーム２２２には、ガイドレール２３２を摺動自在に内挿した摺動部２２３が備えられている。シートフレーム２３１はガイドレール２３２を介してベース部２２に支持されている。シートフレーム２３１の後端部には床面方向に延びる第１のリンク２３３が接合されている。この第１のリンク２３３の下端は、シート用シリンダ２５のピストンロッド２５１の先端に回動自在に連結されている。
【００３８】
シート用シリンダ２５はベース部２２に回動自在に取り付けられている。シート用シリンダ２５のピストンロッド２５１を出没させることにより、第１のリンク２３３が揺動し、シートフレーム２３１がガイドレール２３２に案内されて前後方向にスライドする。これにより、シート部２３は側面板２２４を伴って前後方向に移動可能とされ、図５に示す実線位置と鎖線位置との間で位置変更が可能とされている。
【００３９】
椅子２の背もたれ部２６は、シート部２３と同様にクッション性を有し、支軸２４を回動中心としてシート部２３に対して傾倒するリクライニング機構を備えている。図４に示すように、背もたれ部２６は、金属製の背もたれフレーム２６１が背面側の下端部に結合されている。背もたれフレーム２６１は支軸２４に回動自在に連結されるとともに、床面方向に延びる第２のリンク２６２が一体に接合されている。
【００４０】
ベース部２２のベースフレーム２２２には、シート用シリンダ２５のほか、背もたれ部２６のための傾倒用シリンダ２７が取り付けられている。この傾倒用シリンダ２７は、ピストンロッド２７１の先端に第２のリンク２６２の下端が回動自在に連結されている。傾倒用シリンダ２７を操作することによりピストンロッド２７１は出没し、第２のリンク２６２が揺動する。これによって、背もたれ部２６は、図５に実線または鎖線にて示す起立状態と傾倒状態との間で傾起しうるよう構成されている。
【００４１】
シート用シリンダ２５および傾倒用シリンダ２７は、第１のリンク２３３または第２のリンク２６２を変位させる駆動源であって共通の構成を有する油圧シリンダを使用することができる。またこれらのシリンダ２５、２７は、油圧以外の流動圧シリンダや電動式の直線駆動源等に変更することもできる。シート用シリンダ２５および傾倒用シリンダ２７の操作は、椅子２の左側の外側面に設けられた操作スイッチ２８を用いて行われる。
【００４２】
このように被施術者用の椅子２は、シート部２３がベース部２２に対して前後方向に移動可能に支持されているので、オットマン３とシート部２３との間隔を適宜変更することができる。例えば、シート用シリンダ２５のピストンロッド２５１の伸縮量に基づいて、オットマン３とシート部２３とを最も近接させたときの離間距離Ｌ１は５〜１５ｃｍとされることが好ましく、より好ましくは１０ｃｍとされることである。また、オットマン３とシート部２３とを最も離したときの離間距離Ｌ２は２５〜３５ｃｍとされることが好ましく、さらに、女性の足の大きさを考慮した好ましい離間距離Ｌ２は２５ｃｍとされる。
【００４３】
これにより、被施術者が椅子２に座るときには、シート部２３を後方へ移動させ、オットマン３とシート部２３との間隔を拡大させて、例えばオットマン３とシート部２３との間に足を踏み入れ可能な距離（離間距離Ｌ２）に後退させる。図３に示したように、椅子２に座った被施術者１０１は、シンク部３１上のフットレスト板３３に足をのせ、楽な姿勢で足の美容施術を受けることができる。
【００４４】
図６に示すように、お湯を張ったシンク部３１に足を入れて足浴を行うときには、シート部２３を前方へ移動させ、オットマン３とシート部２３との間隔を狭め、例えば足を踏み入れ困難な程度に近接させた距離（離間距離Ｌ１）まで前進させる。これにより、被施術者１０１は楽な姿勢でシンク部３１に足を入れることができ、背もたれ部２６に体をもたれさせ、リラックスすることが可能となる。かかるシート部２３とオットマン３との間の距離調整は椅子２に被施術者１０１を座らせた状態でも行うことができる。
【００４５】
図７に参考例として示すように、仮に、椅子９０もオットマン３も床４に固定されており、シート部を前後移動させることが困難であったりオットマン３と椅子９０との間隔を変更できなかったりすると、被施術者１０１は膝を大きく曲げた姿勢で椅子９０に座らなければならない。
【００４６】
これに対して、美容施術設備１における椅子２は、図５及び図６に示したように、シート部２３を使用形態に合わせて前後方向に移動させ、好ましい位置に固定して座ることができる。また、被施術者１０１の体型や好みに合わせてシート部２３を動かすことができ、さらに背もたれ部２６をリクライニングさせたりフットレスト板３３を前後移動させたりすることで、被施術者１０１にとって楽な姿勢でリラックスした状態で美容施術を提供することが可能となる。
【００４７】
さらに、椅子２には、幅方向の左右少なくとも一方にサイドテーブル２９が備えられている。図８に示すように、サイドテーブル２９は、曲率の大きいアール形状の短辺部２９１と、曲率の小さいアール形状の長辺部２９２とを備えており、丸みを帯びた等脚台形状または円錐台の展開図形状に近い平面形状を有している。サイドテーブル２９の上面は平坦に形成され、下面には丸棒状の支持軸２９３が延設されている。支持軸２９３は、左側のアームレスト２１の前方に設けられた円筒状の保持筒２９４に嵌挿され、回転自在に取り付けられている。保持筒２９４には締付杆２９５が貫通され、内挿された支持軸２９３に当接するように設けられている。
【００４８】
施術者は、使用形態に合わせて締付杆２９５を緩め、サイドテーブル２９および支持軸２９３を回転させて用いることができる。例えば、サイドテーブル２９を、図８に実線にて示す向きに配置し、施術作業台として被施術者の手や腕などに美容施術を行うことができる。サイドテーブル２９の長辺部２９２を施術者側に向けて用いることで、施術者にとっては作業スペースを拡げることができ、被施術者にとってはサイドテーブル２９が邪魔にならないようにすることができる。また、被施術者が椅子２に座ったり椅子２から離れたりするときには、サイドテーブル２９を回転させ、図８に鎖線にて示す向きに配置して、動作の邪魔にならないように配置することもできる。
【００４９】
操作スイッチ２８、サイドテーブル２９および締付杆２９５は、椅子２の左側に備えられており、被施術者に対面して座る施術者にとって、これらは施術者の右側に配設されている。このため、施術者は右手で簡単にこれらの操作をすることができ、椅子２に座った被施術者の様子を見ながらシート部２３の位置調整を行ったり、背もたれ部２６を傾けたりすることができ、作業性よく美容施術を行うことが可能となる。
【００５０】
なお、操作スイッチ２８に並べてコンセントボックス等の電気設備を設けてもよく、施術用機器への供給電源を確保したり被施術者の利便性を向上させたりすることができ、各種の操作部を椅子２の左側に集約させて、施術者の作業性をより高めることができる。
【００５１】
（その他の実施形態）
図９に示すように、上記のような構成を有する美容施術設備１として、さらに、上段床部４１には複数組の椅子２とオットマン３とが並設されており、これらの複数のオットマン３に沿って下段床部４２には左右方向に連続する施術者エリア４３が設けられてもよい。これにより、複数の施術者が同時に複数の被施術者に対して効率よく美容施術を行うことができる。施術者は施術者エリア４３を行き来して、上段床部４１を通ることなく、施術準備を行ったり後片付けを行ったりすることができる。
【００５２】
美容施術設備１として、椅子２同士の間にはキャビネット５が備えられることが好ましい。キャビネット５は、前方に開口する収納部５１を備え、収納部５１の上に引き出し式の小テーブル５２を有する。天板部５３には間仕切部材５４が立設されている。例えば、間仕切部材５４は半透明のガラスあるいはポリカーボネート等の合成樹脂板等の板状材で構成され、視線を通さないが光を通すことは可能とされる。天板部５３の後端部には上部壁５５が設けられており、これらの天板部５３及び上部壁５５に連続して設けられた溝５６に対して間仕切部材５４が嵌合され、取り外し可能とされている。
【００５３】
隣り合う椅子２の間に、間仕切部材５４を備えたキャビネット５が設けられていることで、美容施術を受ける被施術者のプライバシーに配慮することができる。天板部５３は小物を置いたり、飲み物を置いたりして用いることができる。また、引き出し式の小テーブル５２を備えることで、物を置く場所をさらに拡張することができる。友人同士で隣り合う椅子２に座り美容施術を受ける場合には、間仕切部材５４を取り外すことで、被施術者は隣同士で会話を楽しむこともできる。
【００５４】
以上説明したように、美容施術設備１では、上記構成を備える椅子２およびオットマン３を上段床部４１に配設し、下段床部４２に施術者エリア４３を設けたことから、施術者の負担を軽減し得て、作業性よくスムーズに美容施術を進めることが可能になるとともに、被施術者は楽な姿勢で美容施術を受けることが可能になり、良好に美容施術を提供することができる。
【００５５】
また、オットマン３にシンク部３１、給排水装置３２、およびフットレスト板３３を設けた場合には、被施術者は椅子２に座った状態のまま、被施術者はフットバスの設置や給湯などのために移動したり重いフットバスを設置したりしなくとも、足浴の準備や後片付けをすることが可能となり、スマートに足の施術を行うことができる。椅子２およびオットマン３が床４に設けられていることで、フットケアを含めた美容施術を全て行うことができ、省スペースで好適な美容施術を提供することが可能となる。
【００５６】
なお、本発明に係る美容施術設備１において、椅子２およびオットマン３の構成は上述した実施形態のものに限定されるものではなく、サイドテーブル２９の構成、シート部２３を前後スライドさせる機構、および背もたれ部２６をリクライニングさせる機構等においてどのように構成されてもよい。例えばサイドテーブル２９は椅子２の左側から右側に付け替え可能とされてもよい。本発明は請求項に示した範囲での種々の変更が可能であり、他の様々な形態により実施することができる。
【産業上の利用可能性】
【００５７】
本発明は、ネイルサロンや美容室等における美容施術設備として好適に利用可能である。
【符号の説明】
【００５８】
１    美容施術設備
２    椅子
２１  アームレスト
２２  ベース部
２３  シート部
２４  支軸
２５  シート用シリンダ
２６  背もたれ部
２７  傾倒用シリンダ
２８  操作スイッチ
２９  サイドテーブル
３    オットマン
３１  シンク部
３２  給排水装置
３３  フットレスト板
４    床
４１  上段床部
４２  下段床部
４３  施術者エリア
５    キャビネット
５１  収納部
５４  間仕切部材
【図１】
2018117678.tif 000003
【図２】
2018117678.tif 000004
【図３】
2018117678.tif 000005
【図４】
2018117678.tif 000006
【図５】
2018117678.tif 000007
【図６】
2018117678.tif 000008
【図７】
2018117678.tif 000009
【図８】
2018117678.tif 000010
【図９】
2018117678.tif 000011
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
一組の椅子とオットマンとが床に備えられてなる美容施術設備であって、
前記床は、高低差を有する上段床部と下段床部とを備え、
上段床部には前記椅子およびオットマンが配置されるとともに、下段床部には美容施術の施術者エリアが設けられ、前記椅子と施術者エリアとの間に前記オットマンが前記椅子から離間して固定されており、
前記椅子は、上段床部に設置されるベース部と、ガイド手段を介してベース部に対し前後方向に移動可能に支持されたシート部と、シート部の後方に立設された背もたれ部とを備え、
前記オットマンは、給水栓を含む給排水装置が付設されたシンク部を備え、
前記ベース部に対してシート部が前後方向に移動し、前記オットマンと前記シート部との離間距離が、これらオットマンとシート部との間に足を踏み入れ可能な拡大距離と、足を踏み入れ困難な縮小距離との間で変更可能とされてなることを特徴とする美容施術設備。
【請求項２】
請求項１に記載の美容施術設備において、
前記床は、上段床部と下段床部とに１０ｃｍ以上の高低差を有し、
前記オットマンの上面の高さは椅子の座面の高さよりも低く、下段床部の床面から該オットマンの上面までの高さが４０ｃｍ以上８０ｃｍ以下となされたことを特徴とする美容施術設備。
【請求項３】
請求項１または２に記載の美容施術設備において、
前記ガイド手段は、シート部に前後方向に延設されたガイドレールと、ベース部に設けられガイドレールを摺動させる摺動部とを備えてなることを特徴とする美容施術設備。
【請求項４】
請求項１〜３のいずれか一つの請求項に記載の美容施術設備において、
前記オットマンは、前記シンク部の上部開口に被さるフットレスト板を有し、このフットレスト板は、前記シンク部に対して前後方向にスライド可能に備えられてなることを特徴とする美容施術設備。
【請求項５】
請求項１〜４のいずれか一つの請求項に記載の美容施術設備において、
前記椅子は、ベース部とシート部との間に、シート部を変位させる駆動シリンダと、駆動シリンダに連結されたリンク部材とを有することを特徴とする美容施術設備。
【請求項６】
請求項１〜５のいずれか一つの請求項に記載の美容施術設備において、
前記椅子は幅方向の左右少なくとも一方にサイドテーブルを備え、
前記サイドテーブルは該椅子に対して回動可能に軸支されてなることを特徴とする美容施術設備。
【請求項７】
請求項１〜６のいずれか一つの請求項に記載の美容施術設備において、
前記上段床部には複数組の椅子とオットマンとが並設され、前記下段床部には施術者エリアが前記複数のオットマンに沿って連続して設けられ、
前記椅子同士の間にはキャビネットが備えられるとともに、該キャビネットの上部には取り外し可能な間仕切部材が設けられてなることを特徴とする美容施術設備。
【手続補正２】
【補正対象書類名】明細書
【補正対象項目名】０００９
【補正方法】変更
【補正の内容】
【０００９】
前記の目的を達成するため、本発明は、一組の椅子とオットマンとが床に並設されてなる美容施術設備を前提としており、前記床は、高低差を有する上段床部と下段床部とを備え、上段床部には前記椅子およびオットマンが配置されるとともに、下段床部には美容施術の施術者エリアが設けられ、前記椅子と施術者エリアとの間に前記オットマンが前記椅子から離間して固定されてなる。前記椅子は、上段床部に設置されるベース部と、ガイド手段を介してベース部に対し前後方向に移動可能に支持されたシート部と、シート部の後方に立設された背もたれ部とを備え、前記オットマンは、給水栓を含む給排水装置が付設されたシンク部を備え、前記ベース部に対してシート部が前後方向に移動し、前記オットマンと前記シート部との離間距離が、これらオットマンとシート部との間に足を踏み入れ可能な拡大距離と、足を踏み入れ困難な縮小距離との間で変更可能とされたことを特徴としている。
【手続補正３】
【補正対象書類名】明細書
【補正対象項目名】００１０
【補正方法】変更
【補正の内容】
【００１０】
また、前記構成の美容施術設備において、前記床は、上段床部と下段床部とに１０ｃｍ以上の高低差を有し、前記オットマンの上面の高さは椅子の座面の高さよりも低く、下段床部の床面から該オットマンの上面までの高さが４０ｃｍ以上８０ｃｍ以下となされることが好ましい。
【手続補正４】
【補正対象書類名】明細書
【補正対象項目名】００１３
【補正方法】変更
【補正の内容】
【００１３】
前記美容施術設備のより具体的な構成として次のものが挙げられる。まず、美容施術設備における前記ガイド手段は、シート部に前後方向に延設されたガイドレールと、ベース部に設けられガイドレールを摺動させる摺動部とを備えてなることが好ましい。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また、前記オットマンは、前記シンク部の上部開口に被さるフットレスト板を有し、このフットレスト板を、シンク部に対して前後方向に移動可能に備えることにより、前記オットマンをフットレスト板の上に足をのせて使用する使用形態と、シンク部にお湯をはり、足を入れてフットバスとして使用する使用形態との両方の使い方をすることができ、使用形態や被施術者の足入れ姿勢に応じてフットレスト板の配設位置を変えて使用することもできる。